(57)【要約】【課題】蒸気養生や散水作業時における水分や後打ちコンクリートの余剰水がコンクリートスラブ用埋込材内に侵入・滞留することにより発生する鉄筋の腐食や漏水の問題が解消されるとともに、遮音性が改善されたコンクリートスラブ用埋込材を提供する。【解決手段】開孔部を有する空洞部３を備えた発泡合成樹脂成形体からなる埋込材本体２の前記空洞部３内に充填材５ａを充填したことを特徴とする。【選択図】      図１
2004270407.tif 000002
【特許請求の範囲】
【請求項１】
開孔部を有する空洞部を備えた発泡合成樹脂成形体からなる埋込材本体の前記空洞部内に充填材を充填したことを特徴とするコンクリートスラブ用埋込材。
【請求項２】
充填材が発泡合成樹脂成形体からなる請求項１記載のコンクリートスラブ用埋込材。
【請求項３】
全体又は一部がエラスチック化されている請求項１又は２記載のコンクリートスラブ用埋込材。
【請求項４】
下方部がエラスチック化されている請求項１〜３のいずれか１項に記載のコンクリートスラブ用埋込材。
【請求項５】
埋込材本体の発泡合成樹脂成形体が低発泡部からなり、充填材の発泡合成樹脂成形体が高発泡部からなる請求項２〜４のいずれか１項に記載のコンクリートスラブ用埋込材。
【請求項６】
低発泡部と高発泡部とが係合により一体化されている請求項５記載のコンクリートスラブ用埋込材。
【請求項７】
下方部に複数個のスリットが刻設されている請求項１〜６のいずれか１項に記載のコンクリートスラブ用埋込材。
【請求項８】
下端部に深さ２〜５ｍｍの凹部が設けられている請求項１〜７のいずれか１項に記載のコンクリートスラブ用埋込材。
【請求項９】
側壁部に、段状の切欠部が設けられている請求項１〜８のいずれか１項に記載のコンクリートスラブ用埋込材。
【請求項１０】
充填材が発泡合成樹脂粒子及び／又は発泡合成樹脂チップからなる請求項１記載のコンクリートスラブ用埋込材。
【請求項１１】
開孔部を有する空洞部を多数備えた発泡合成樹脂成形体がポリスチレン系樹脂からなる請求項１〜１０のいずれか１項に記載のコンクリートスラブ用埋込材。
【請求項１２】
更に、遮音性シートが張設されている請求項１〜１１のいずれか１項に記載のコンクリートスラブ用埋込材。
【発明の詳細な説明】
【０００１】
【発明の属する技術分野】
本発明は、発泡合成樹脂成形体からなるコンクリートスラブ用埋込材に関し、更に詳しくは、コンクリートスラブ用埋込材をコンクリート内部に埋設する際に、施工現場にて行われる散水作業時における水分や後打ちコンクリート中に含まれる余剰水が該埋込材内に侵入・滞留することにより発生する鉄筋の腐食や漏水の問題が解消されるとともに、遮音性の改善されたコンクリートスラブ用埋込材に関する。
【０００２】
【従来の技術】
従来、建築物の床材や天井材を構成するコンクリートスラブを施工する場合、軽量化、遮音効果及び断熱効果を図るために、中空化した埋込材をコンクリート内部に埋設する工法が採用されている。
【０００３】
この種の技術としては、合成樹脂製の発泡成形品からなり下面を開口した中空部を持つ箱状の埋込材をコンクリート基板に連結固定するとともに、前記中空部を外部に対して連通するために前記埋込材の側面のコンクリート基板と当接する位置近傍に開孔を形成した中空コンクリートスラブ用基板が提案されている。そして、その開孔の形状を先細り状や、迷路構造状に形成することによって中空部の内部空間に溜まった水分を排出したり、また、逆に外部からの水分を侵入しにくくしている（例えば、特許文献１参照）。
【０００４】
一方、大型の発泡合成樹脂成形ブロックから切り出した、中空部を有しない埋込材も実用化されている。
【０００５】
【特許文献１】
特許第２５６２２４７号公報（図１〜図５）
【０００６】
【発明が解決しようとする課題】
前者の如き中空部を有する構成のコンクリートスラブ用埋込材は、蒸気養生工程や後打ちコンクリート打設前の散水工程における水分や、後打ちコンクリート中に含まれる余剰水が中空部内部に侵入しにくくするとともに、一旦、中空部内部に侵入した水分を排出し易くする工夫が施されている。しかしながら、中空部内に侵入した水分が十分に排出されない場合には水分を封入した状態でコンクリートが打設・硬化されることになり、この水分が鉄筋を腐食させてコンクリート強度を低下させたり、また、コンクリートが乾燥収縮等によりクラックが入った場合、コンクリート表面に漏出して外観を著しく低下させたり、漏出した水が階下に落下して汚染するといったトラブルを惹き起こす場合がある。
【０００７】
一方、後者のカット品からなる埋込材は、上記した中空部を有する埋込材の欠点は有しないものの、表面にスキン層を有しないため割れや欠けが発生し易く、また反りが発生し易いという問題を含んでいる。この問題は、低発泡倍率とすることにより解消されるが、高コストとなるとともに、重量が大きくなるという問題をはらんでいる。また、側壁部に後加工により釘等の係止具でコンクリート（硬化前）に止着するための段状の切欠部を設けようとしても割れや欠けが発生し易いために困難で、また、敢えて加工する場合においても、別途加工工程が加わり工数が増加するのでコストアップとならざるを得ない。そのため、埋込材の下方部に釘等を斜め方向に打ち込んで埋込材を止着しているが、作業性が悪く、また十分に止着されていない場合は、後打ちコンクリート打設時に浮力により埋込材が浮き上がってくるという問題がある。
【０００８】
更に、上記中空部を有する埋込材及びカット品からなる埋込材の共通するものとして、遮音効果が十分でないという課題がある。今日、遮音性は快適な居住性を追求する上で極めて大きな問題となっているが、未だ満足し得る状態にないのが現状である。
【０００９】
【課題を解決するための手段】
本発明者らは上記課題を解決するべく鋭意研究の結果、中空部に充填材を充填することにより水分の侵入・滞留による問題を一挙に解決できるとともに、遮音性が改善されることを見い出し、本発明を完成するに至った。
【００１０】
即ち、上記目的を達成するための本発明の請求項１に係る発明は、開孔部を有する空洞部を備えた発泡合成樹脂成形体からなる埋込材本体の前記空洞部内に充填材を充填したことを特徴とするコンクリートスラブ用埋込材を内容とする。
【００１１】
本発明の請求項２に係る発明は、充填材が発泡合成樹脂成形体からなる請求項１記載のコンクリートスラブ用埋込材を内容とする。
【００１２】
本発明の請求項３に係る発明は、全体又は一部がエラスチック化されている請求項１又は２記載のコンクリートスラブ用埋込材を内容とする。
【００１３】
本発明の請求項４に係る発明は、下方部がエラスチック化されている請求項１〜３のいずれか１項に記載のコンクリートスラブ用埋込材を内容とする。
【００１４】
本発明の請求項５に係る発明は、埋込材本体の発泡合成樹脂成形体が低発泡部からなり、充填材の発泡合成樹脂成形体が高発泡部からなる請求項２〜４のいずれか１項に記載のコンクリートスラブ用埋込材を内容とする。
【００１５】
本発明の請求項６に係る発明は、低発泡部と高発泡部とが係合により一体化されている請求項５記載のコンクリートスラブ用埋込材を内容とする。
【００１６】
本発明の請求項７に係る発明は、下方部に複数個のスリットが刻設されている請求項１〜６のいずれか１項に記載のコンクリートスラブ用埋込材を内容とする。
【００１７】
本発明の請求項８に係る発明は、下端部に深さ２〜５ｍｍの凹部が設けられている請求項１〜７のいずれか１項に記載のコンクリートスラブ用埋込材を内容とする。
【００１８】
本発明の請求項９に係る発明は、側壁部に、段状の切欠部が設けられている請求項１〜８のいずれか１項に記載のコンクリートスラブ用埋込材を内容とする。
【００１９】
本発明の請求項１０に係る発明は、充填材が発泡合成樹脂粒子及び／又は発泡合成樹脂チップからなる請求項１記載のコンクリートスラブ用埋込材を内容とする。
【００２０】
本発明の請求項１１に係る発明は、開孔部を有する空洞部を備えた発泡合成樹脂成形体がポリスチレン系樹脂からなる請求項１〜１０のいずれか１項に記載のコンクリートスラブ用埋込材を内容とする。
【００２１】
本発明の請求項１２に係る発明は、更に、遮音性シートが張設されている請求項１〜１１のいずれか１項に記載のコンクリートスラブ用埋込材を内容とする。
【００２２】
【作用】
本発明のコンクリートスラブ用埋込材は、開孔部を有する空洞部内に充填材を充填してなるので、従来のように中空部が存在せず、従って、蒸気養成工程や後打ちコンクリート打設前の散水工程における水分や、コンクリート中の余剰水が中空部内部に侵入・滞留するということがなく、従って、これらの水分が鉄筋を腐食させたり、コンクリート面に滲み出したり漏水するというトラブルは完全に防止することができる。
【００２３】
また、埋込材本体と充填材との組み合わせにより遮音性が改善される。特に、埋込材本体の空洞部内に充填材を充填したことにより、埋込材本体と充填材との境界面積が大きくなり、遮音性が効果的に高められる。
【００２４】
また、全部又は一部、特に下方部をエラスチック化することにより、遮音性が改善されるとともに、弾力変形性に富むため、コンクリートとの密着性が向上し、また定置場所に小石等があった場合においてもこれらを除去しなくても定置でき、定置性が良好となる。
【００２５】
また、上方部を低発泡部とし、下方部を高発泡部とする２層構造とすることにより、上方部は硬く強度も大きいので割れや欠けが発生しにくいばかりでなく、後打ちコンクリート打設時の耐圧性が大きくなり、また下方部は柔らかく弾力変形性に富むので、コンクリートとの密着性が向上し、また定置場所に小石等があっても定置され、定置性が良好となる。
【００２６】
また、下方部に複数個のスリットを刻設することにより、可撓性および弾力変形性が一層大きくなり、上記したコンクリートとの密着性、定置性が更に改善される。更に、成形時において該スリットにもスチームが廻るので加熱効率が向上し、成形サイクルが短縮され生産性が向上する。
【００２７】
また、下端部に深さ２〜５ｍｍの凹部を設けることにより、小石等があっても、これらは該凹部内に吸収されるので定置性が更に良好となる。
【００２８】
釘等の係止具で止着するための段状の切欠部を設けることにより、コンクリート（未硬化のうちの）に止着する作業性が向上する。
【００２９】
更に、埋込材本体の発泡合成樹脂成形体をポリスチレン系樹脂で構成することにより、成形が容易で、適度な剛性を備え、軽量性に富み、安価な埋込材を提供することができる。
【００３０】
更にまた、遮音性シートを張設することにより、遮音性を一層向上させることができる。
【００３１】
【発明の実施の形態】
本発明のコンクリートスラブ用埋込材は、開孔部を有する空洞部を備えた発泡合成樹脂成形体からなる埋込材本体の前記空洞部内に充填材を充填したことを特徴とする。
【００３２】
本発明に用いられる埋込材本体の発泡合成樹脂成形体は、金型内に、発泡性樹脂粒子（予備発泡粒子）を充填し、蒸気により加熱して発泡・融着させる所謂ビーズ成形法により得られるものが好適である。得られた成形体は表面にスキン層を有するので強度が大きく、コンクリート打設時の耐圧性も大きくなり、また反りに対しても強くなる。埋込材本体の側壁部に設けられる段状の切欠部は、後加工により設けることもできるが、埋込材本体の成形と同時に設けるのが効率的である。
【００３３】
本発明に用いられる発泡合成樹脂としては、例えばポリスチレン樹脂、塩化ビニル樹脂、ポリエチレン、ポリプロピレン等のポリオレフィン樹脂、ポリウレタン樹脂等が挙げられるが、適度な剛性を有し、断熱性、耐水性、緩衝性に優れている点でポリスチレン樹脂が好ましい。これらの使用済み樹脂をリサイクルした樹脂も勿論好適に使用される。更に、上記した樹脂の２種以上を組み合わせたり、同種の樹脂で発泡度の異なる粒子を使用することも可能で、このような組み合わせにより、遮音性向上効果が期待できる。
【００３４】
本発明に用いられる充填材は特に制限されず、グラスウール、ロックウール、発泡合成樹脂の成形体、粒子、チップ等が挙げられる。充填材用発泡合成樹脂は上記した埋込材本体と同じ樹脂でよいが、埋込材本体と充填材とは異なった方が優れた遮音効果が得られる。例えば、埋込材本体が発泡ポリスチレン樹脂の場合は、充填材は発泡ポリエチレン樹脂とするとか、また埋込材本体と充填材とが同一の樹脂（例えば発泡ポリスチレン樹脂）の場合は発泡倍率を異ならしめるのが好ましい。成形体の場合は凹凸等の係合により、また粒子やチップの場合は開孔部をフィルム等で塞ぐことにより充填される。粒子やチップは接着剤や粘着剤でバラバラになるのを防ぐこともできる。また、上記充填材は使用済みのものを再利用すれば、経済的であり、且つ環境保全の面でも好ましい。
【００３５】
本発明のコンクリートスラブ用埋込材の全部又は一部、特に下方部をエラスチック化することにより、遮音性が改善されるとともに、弾力変形性に富むため、コンクリートとの密着性が向上し、また定置場所に小石等があった場合においてもこれらを除去しなくても定置でき、定置性が良好となる。エラスチック化は埋込材の全体又は所定の一部を圧縮することにより行われる。圧縮の程度は、所望の弾力変形性に応じて適宜決定される。
【００３６】
また、本発明のコンクリートスラブ用埋込材の上方部を低発泡部とし、下方部を高発泡部とする２層構造とすることにより、上方部は硬く強度も大きいので割れや欠けが発生しにくいばかりでなく、後打ちコンクリート打設時の耐圧性が大きくなり、また下方部は柔らかく弾力変形性に富むので、コンクリートとの密着性が向上し、また定置場所に小石等があっても定置され、定置性が良好となる。具体的には、低発泡部は５０〜６０倍、高発泡部は７０〜１００倍が例示される。低発泡部と高発泡部とは、例えば凹凸係合等の機械的に係合してもよいが、２層成形により一挙に成形することもできる。物理的に係合した場合は、所望の高発泡部材を自由に選択できる利点がある。この場合、必要に応じ、接着剤を使用してもよい。
【００３７】
また、本発明のコンクリートスラブ用埋込材の下方部に複数個のスリットを刻設することにより、可撓性および弾力変形性が一層大きくなり、上記したコンクリートとの密着性、定置性が更に改善される。更に、成形時の加熱効率が向上するので、成形サイクルが短縮される。スリットは余り大きくなると、水分が侵入する虞れがあり、本発明の目的が十分に達成されなくなる場合があるので、１〜５ｍｍ程度が好ましい。スリットの数も所望の弾力変形性により適宜選択すればよい。
【００３８】
また、本発明のコンクリートスラブ用埋込材の下端部に深さ２〜５ｍｍの凹部を設けることにより、小石等があっても、これらは該凹部内に吸収されるので定置性が更に良好となる。凹部の深さが２ｍｍ未満では、小石等の吸収性が低下し、また５ｍｍを越えると水分が侵入する虞れがあり、本発明の目的が十分に達成されなくなる場合がある。
【００３９】
更に、充填材が発泡合成樹脂成形体の場合は、埋込材本体と該充填材との間に空間部を設けて、この空気層により遮音性を高めることができる。更にまた、音のエネルギーを遮断する遮音性シート、例えばゴムシート、金属や無機粒子を含有する塩化ビニルシート等を張設することにより、遮音性を一層高めることができる。遮音性シートは埋込材本体上面、下面、埋込材本体と充填材との間、充填材の下面の少なくとも一つの面に張設される。張設方法は、成形と同時、又は後加工（後張り）による方法のいずれでもよいが、後加工の方がコスト的に有利である。上記空気層と遮音性シートは勿論併用してもよく、この場合は一層遮音性を高めることが可能である。
【００４０】
本発明のコンクリートスラブ用埋込材のサイズは特に制限されないが、通常縦４００〜１２００ｍｍ、横４００〜４３０ｍｍ、高さ８０〜３００ｍｍ程度で、空洞部は直径又は一辺が５０〜１００ｍｍ、深さ５０〜２００ｍｍ程度でその数は１〜１５個程度が好適である。遮音性の面からは、空洞部の数は多い方が埋込材本体と充填材との境界面積が増加し、より優れた遮音性が得られる。
【００４１】
【実施例】
以下、本発明を実施例に基づいて更に詳細に説明するが、本発明はかかる実施例のみに限定されるものではない。
【００４２】
実施例１
本実施例のコンクリートスラブ用埋込材１は、図１及び図２に示すように、下面に開孔部を有する空洞部３を備え、側壁部に、釘等の係止具にてコンクリート（未硬化の状態）（図示せず）等に止着するための段状の切欠部４が複数個備えたポリスチレン樹脂成形体（発泡倍率８０倍）からなる埋込材本体２の前記空洞部３内に、同じくポリスチレン樹脂成形体（発泡倍率８０倍）からなる充填材５ａが圧入されている。
【００４３】
実施例２
本実施例のコンクリートスラブ用埋込材１は、図３に示すように、埋込材本体２に設けた凹部６と充填材５ａに設けた凸部７との凹凸係合により、空洞部３内に充填材５ａが充填されている他は実施例１と同じである。
【００４４】
実施例３
本実施例のコンクリートスラブ用埋込材１は、図４に示すように、埋込材本体２の空洞部３内にポリスチレン樹脂発泡粒子からなる充填材５ｂが粘着テープ８により、充填されている他は実施例１と同じである。
【００４５】
実施例４
本実施例のコンクリートスラブ用埋込材１は、図５に示すように、埋込材本体２の空洞部３内にポリスチレン樹脂発泡体を粉砕したチップからなる充填材５ｃが粘着テープ８により、充填されている他は実施例１と同じである。
【００４６】
実施例５
本実施例のコンクリートスラブ用埋込材１は、図６に示すように、実施例１（図１、図２）に示した埋込材１の下方部（約２／３以下）１ａが圧縮によりエラスチック化されている。
【００４７】
実施例６
本実施例のコンクリートスラブ用埋込材１は、図７に示すように、埋込材本体２の低発泡部（６０倍）と、充填材５ａの高発泡部（８０倍）とが、埋込材本体２に設けた凹部６と充填材５ａに設けた凸部７との凹凸係合により充填されている。
【００４８】
実施例７
本実施例のコンクリートスラブ用埋込材１は、図８に示すように、実施例１（図１、図２）に示した埋込材１において、埋込材本体２の下方部（下部より約２／５の高さ）に約２ｍｍ巾のスリット９が刻設されている。勿論、破線で示すように、充填材５ａにも同様にスリット９を設けることもできる。
【００４９】
実施例８
本実施例のコンクリートスラブ用埋込材１は、図９に示すように、低発泡部（６０倍）からなる埋込材本体２の空洞部３内に、高発泡部（８０倍）からなる充填材５ａが２層成形されている。
【００５０】
実施例９
本実施例のコンクリートスラブ用埋込材１は、図１０に示すように、埋込材本体２と充填材５ａとの接触界面を波形状として、接触界面を増大させて遮音性を高めるとともに、埋込材本体２と充填材５ａとを波形により凹凸係合することにより一体化した構成からなる他は実施例８と同じである。
【００５１】
実施例１０
本実施例のコンクリートスラブ用埋込材１は、図１１に示すように、埋込材本体２の空洞部３内に、充填材５ａが櫛歯状に充填されている。
【００５２】
実施例１１
本実施例のコンクリートスラブ用埋込材１は、図１２に示すように、実施例１（図１、図２）に示した埋込材１において、埋込材本体２と充填材５ａとの間に空気層１１が設けられている。
【００５３】
実施例１２
本実施例のコンクリートスラブ用埋込材１は、図１３に示すように、低発泡部（６０倍）からなる埋込材本体２の空洞部３内に、上面に遮音性シート（ゴム）１２を設けた高発泡部（８０倍）からなる充填材５ａが、遮音性シート１２の上部に空気層１１が形成されるように圧入されている。
【００５４】
実施例１３
本実施例のコンクリートスラブ用埋込材１は、図１４に示すように、実施例９（図１０）に示した埋込材１において、埋込材本体２の上面に遮音性シート（ゴム）１２が設けられている。
【００５５】
実施例１４〜２６
本実施例１４〜２６のコンクリートスラブ用埋込材１は、図１５〜図２７に示すように、実施例１〜１３に示したコンクリートスラブ用埋込材１において、該埋込材１の下端に深さ約３ｍｍの凹部１０が形成されている。
【００５６】
尚、上記実施例において、充填材を下方にして埋込材として使用する例について説明したが、必要に応じ、これとは逆に充填材を上方にして埋込材として使用することも可能である。この場合、段状の切欠部４及び凹部１０は、それぞれ逆の方向に付け直す必要があることは云うまでもない。
【００５７】
【発明の効果】
叙上のとおり、本発明のコンクリートスラブ用埋込材は、従来の埋込材の中空部（空洞部）内に充填材を充填したので、該中空内部（空洞部）内に侵入・滞留する水分による鉄筋の腐食や水分漏出による外観の低下等のトラブルがない。
【００５８】
また、埋込材本体と充填材との組み合わせにより遮音性が大巾に改善される。特に、埋込材本体の空洞部内に充填材を充填したことにより、埋込材本体と充填材との境界面積が大きくなり、遮音性が効果的に高められる。
【００５９】
また、本発明のコンクリートスラブ用埋込材の一部又は全部をエラスチック化したり、低発泡部と高発泡部との２層構造としたり、下方部にスリットを刻設することにより、柔らかくなり弾性変形性に富むのでコンクリートとの密着性が向上するとともに、定置場所に小石等があっても、これを除去しなくとも定置されるので、作業性が大巾に向上する。
【００６０】
更に、本発明のコンクリートスラブ用埋込材の下端部に浅い凹部を設けることにより、小石等はこの凹部内に吸収されるので定置性が一層向上し、埋込材の配設作業性が大巾に向上する。更にまた、遮音性シートを張設することにより、遮音性を一層高めることができる。
【図面の簡単な説明】
【図１】本発明の実施例を示す斜視図である。
【図２】図１におけるＡ−Ａ断面図である。
【図３】本発明の他の実施例を示す概略断面図である。
【図４】本発明の他の実施例を示す概略断面図である。
【図５】本発明の他の実施例を示す概略断面図である。
【図６】本発明の他の実施例を示す概略断面図である。
【図７】本発明の他の実施例を示す概略断面図である。
【図８】本発明の他の実施例を示す概略断面図である。
【図９】本発明の他の実施例を示す概略断面図である。
【図１０】本発明の他の実施例を示す概略断面図である。
【図１１】本発明の他の実施例を示す概略断面図である。
【図１２】本発明の他の実施例を示す概略断面図である。
【図１３】本発明の他の実施例を示す概略断面図である。
【図１４】本発明の他の実施例を示す概略断面図である。
【図１５】本発明の他の実施例を示す概略断面図である。
【図１６】本発明の他の実施例を示す概略断面図である。
【図１７】本発明の他の実施例を示す概略断面図である。
【図１８】本発明の他の実施例を示す概略断面図である。
【図１９】本発明の他の実施例を示す概略断面図である。
【図２０】本発明の他の実施例を示す概略断面図である。
【図２１】本発明の他の実施例を示す概略断面図である。
【図２２】本発明の他の実施例を示す概略断面図である。
【図２３】本発明の他の実施例を示す概略断面図である。
【図２４】本発明の他の実施例を示す概略断面図である。
【図２５】本発明の他の実施例を示す概略断面図である。
【図２６】本発明の他の実施例を示す概略断面図である。
【図２７】本発明の他の実施例を示す概略断面図である。
【符号の説明】
１  コンクリートスラブ用埋込材
２  発泡合成樹脂成形体からなる埋込材本体
３  空洞部
４  段状の切欠部
５ａ  充填材（発泡合成樹脂成形体）
５ｂ  充填材（発泡合成樹脂粒子）
５ｃ  充填材（発泡合成樹脂成形体の粉砕チップ）
６  凹部
７  凸部
８  粘着テープ
９  スリット
１０  凹部
１１  空気層
１２  遮音性シート
【図１】
2004270407.tif 000003
【図２】
2004270407.tif 000004
【図３】
2004270407.tif 000005
【図４】
2004270407.tif 000006
【図５】
2004270407.tif 000007
【図６】
2004270407.tif 000008
【図７】
2004270407.tif 000009
【図８】
2004270407.tif 000010
【図９】
2004270407.tif 000011
【図１０】
2004270407.tif 000012
【図１１】
2004270407.tif 000013
【図１２】
2004270407.tif 000014
【図１３】
2004270407.tif 000015
【図１４】
2004270407.tif 000016
【図１５】
2004270407.tif 000017
【図１６】
2004270407.tif 000018
【図１７】
2004270407.tif 000019
【図１８】
2004270407.tif 000020
【図１９】
2004270407.tif 000021
【図２０】
2004270407.tif 000022
【図２１】
2004270407.tif 000023
【図２２】
2004270407.tif 000024
【図２３】
2004270407.tif 000025
【図２４】
2004270407.tif 000026
【図２５】
2004270407.tif 000027
【図２６】
2004270407.tif 000028
【図２７】
2004270407.tif 000029